(57)【要約】  本発明は、自動化装置（１０１ａ〜１０１ｃ）の群の自動化装置（１０１ａ）であって、通信ネットワーク（１０５）を介して自動化装置（１０１ａ〜１０１ｃ）の群の更なる自動化装置（１０１ｂおよび１０１ｃ）と通信するための通信インタフェース（１０３）であり、更なる自動化装置（１０１ｂおよび１０１ｃ）の状態または状態変化を示す更なる自動化装置（１０１ｂおよび１０１ｃ）の状態メッセージを受信するよう設計される、通信インタフェース（１０３）と、当該状態メッセージの受信に応じて、更なる自動化装置（１０１ｂおよび１０１ｃ）の当該状態または当該状態変化を示す光信号を発するよう設計される光源（１０７）とを備える自動化装置（１０１ａ）に関する。
2019505125.tif 000002
【特許請求の範囲】
【請求項１】
自動化装置群の自動化装置であって、
通信ネットワークを介して自動化装置群の更なる自動化装置と通信するための通信インタフェースであり、前記更なる自動化装置の状態または状態変化を示す前記更なる自動化装置の状況メッセージを受信するよう構成される通信インタフェースと、
前記状況メッセージの前記受信に応じて、前記更なる自動化装置の前記状態または前記状態変化を示す光信号を発するよう構成される光源と
を備える自動化装置。
【請求項２】
前記自動化装置の前記通信インタフェースまたは制御装置は、前記状態および前記状態変化のうち少なくとも一方のタイプおよび優先度のうち少なくとも一方を示す前記状況メッセージの特性を検出するよう構成される、請求項１に記載の自動化装置。
【請求項３】
前記光源は、１つの光色および明るさおよび周波数のうち少なくとも１つの前記光信号を発するよう構成され、前記光信号の前記光色および前記明るさおよび前記周波数のうち少なくとも１つは、前記状態、前記状態変化、および前記状況メッセージの前記特性のうち少なくとも１つと関連付けられる、請求項２に記載の自動化装置。
【請求項４】
前記通信インタフェースは、前記通信ネットワークを介して前記自動化装置群の更なる自動化装置から更なる状況メッセージを受信し、かつ、前記更なる状況メッセージの特性を検出するよう構成され、前記更なる状況メッセージは、前記更なる自動化装置の更なる状態または更なる状態変化を示し、前記更なる状況メッセージの前記特性は、前記更なる状態および前記更なる状態変化のうち少なくとも一方のタイプおよび優先度のうち少なくとも一方を示す、請求項１から３の何れか一項に記載の自動化装置。
【請求項５】
前記通信インタフェースは、前記状況メッセージの前記特性と前記更なる状況メッセージの前記特性とを比較し、かつ、それぞれの前記特性に基づいて前記状況メッセージの順位付けを検出するよう構成され、前記光源は、前記状況メッセージによって優先度がより高いと表示される前記状態または前記状態変化を示す前記光信号を発するよう構成される、請求項２から４の何れか一項に記載の自動化装置。
【請求項６】
前記光源は、少なくとも１つのＬＥＤを含む、請求項１から５の何れか一項に記載の自動化装置。
【請求項７】
前記光源は、前記自動化装置の内部空間に配置される、請求項１から６の何れか一項に記載の自動化装置。
【請求項８】
前記通信インタフェースは、無線通信インタフェースまたは有線通信インタフェースである、請求項１から７の何れか一項に記載の自動化装置。
【請求項９】
前記自動化装置は、検出装置を備え、前記検出装置は、ユーザによる前記自動化装置の整備または操作を検出するよう構成される、請求項１から８の何れか一項に記載の自動化装置。
【請求項１０】
前記光源は、前記検出装置が前記自動化装置の前記整備または前記操作を検出すると、前記状況メッセージの受信に応じて前記光信号を表示するよう構成される、請求項９に記載の自動化装置。
【請求項１１】
前記通信インタフェースは、前記検出装置が前記自動化装置の前記整備または前記操作を検出すると、前記更なる自動化装置に状況メッセージを伝送するよう構成される、請求項９または１０に記載の自動化装置。
【請求項１２】
前記自動化装置の状態または状態変化を検出するよう構成される制御装置を備える、請求項１から１１の何れか一項に記載の自動化装置。
【請求項１３】
前記光源は、前記自動化装置の前記状態または前記状態変化の前記検出に応じて更なる光信号を発するよう構成され、前記更なる光信号は、前記自動化装置の前記状態または前記状態変化を示す、請求項１２に記載の自動化装置。
【請求項１４】
前記通信インタフェースは、前記自動化装置の前記状態または前記状態変化を前記検出すると、通信装置、特にスマートフォンまたはラップトップ等の移動通信装置に対して装置状況メッセージを伝送するよう構成される、請求項１２または１３に記載の自動化装置。
【請求項１５】
第１自動化装置および第２自動化装置を含む自動化装置群の自動化装置の配置であって、
前記第２自動化装置は、状況メッセージを伝送するよう構成され、
前記第１自動化装置は、前記第２自動化装置の前記状況メッセージを受信し、かつ、受信された前記状況メッセージにより示される通りに、前記第２自動化装置の状態または状態変化を視覚的に表示するよう構成される、配置。
【請求項１６】
第１自動化装置および第２自動化装置を含む自動化装置群の自動化装置の状態または状態変化を示すための方法であって、
前記第２自動化装置を介して前記第１自動化装置へ前記第２自動化装置の状況メッセージを伝送する段階と、
前記第１自動化装置により前記第２自動化装置の前記状況メッセージを受信する段階と、
前記第１自動化装置によって受信された前記状況メッセージにより示される通りに、前記第２自動化装置の状態または状態変化を光学的に表示する段階と
を備える方法。
【発明の詳細な説明】
【技術分野】
【０００１】
本発明は、自動化装置群の自動化装置に関する。
【背景技術】
【０００２】
自動化装置等の機械の状況は、機械に搭載される信号塔により光学信号および／または音響信号の形で表示および／またはシグナリングされ得る。しかしながら、機械の状態の視覚的および／または音響的なモニタリングは、信号塔からの距離が長いこともしくは信号塔の視野が限られているか遮られていることにより、または、周囲の環境が騒がしいことにより、妨げられることまたは実行できないことがある。更に、機械の状態の視覚的および／または音響的なモニタリングは、モニタリングされる機械の数によっても妨げられることまたは実行できないことがある。
【０００３】
自動化装置等の機械は更に、機械の状態のシグナリングおよび機械の照明の両方に使用され得る機械照明を有することができる。
【０００４】
印刷刊行物ＤＥ１０  ２０１３  １０２  ６４４Ａ１では、機械の中または上を照明するのに特に有益な照明装置、特にＬＥＤ機械照明について説明している。よって、制御装置が、照明装置の光源の光の性質を制御するための制御信号を照明装置に伝送する。照明装置を介して更なる照明装置へ制御装置の制御信号をループすることが更に説明されている。
【発明の概要】
【０００５】
本発明の基本的な課題は、自動化装置群の自動化装置の状態または状態変化を表示するための効率的な着想を提供することである。
【０００６】
この課題は、独立請求項に記載の特徴を備える主題により解決される。本発明の有益な実施形態が、図、明細書および従属請求項の主題である。
【０００７】
本発明は、上記課題が、自動化装置群の更なる自動化装置の状況メッセージを受信するための通信インタフェースを備える、自動化装置群の自動化装置により解決され得るという認識に基づくものであり、当該状況メッセージは、更なる自動化装置の状態または状態変化を示す。自動化装置は更に、更なる自動化装置の状態または状態変化を示す光信号を発するための光源を備える。
【０００８】
第１態様によると、本発明は、自動化装置群の自動化装置であって、通信ネットワークを介して自動化装置群の更なる自動化装置と通信するための通信インタフェースであり、当該更なる自動化装置の状態または状態変化を示す、当該更なる自動化装置の状況メッセージを受信するよう構成される通信インタフェースと、当該状況メッセージの受信に応じて、当該更なる自動化装置の当該状態または当該状態変化を示す光信号を発するよう構成される光源とを備える、自動化装置に関する。よって、このことからは、自動化装置が更なる自動化装置の状態または状態変化を効率的に示すことができるという利点が得られる。このように、自動化装置を操作または整備しているユーザは、更なる自動化装置を個々に検査および／または観察する必要もなく、自動化装置群の更なる自動化装置の状態について通知され得る。この結果として、自動化装置群の自動化装置の状態または状態変化を判断するときに、かなりの時間が節約され得る。
【０００９】
自動化装置および更なる自動化装置は、機械群の機械であってよい。自動化装置群は、自動化装置の配置であってよく、これにより、当該配置の自動化装置は、共通位置、例えば製造現場または生産施設に設置されてよい。自動化装置および更なる自動化装置は、同様のもの、特に同じ構成要素および特徴を表すものであってよい。
【００１０】
状況メッセージは、更なる自動化装置の状態もしくは状況、特に更なる自動化装置の誤動作状態もしくは誤動作状況、または、更なる自動化装置の状態変化もしくは状況変化を示すことができる。状態は、更なる自動化装置のエラー、例えば予定外の工程終了であってよい。状況メッセージは、エラーメッセージまたは警告メッセージであってよい。
【００１１】
一実施形態によると、自動化装置の通信インタフェースまたは制御装置は、状態および／または状態変化のタイプおよび／または優先度を示す状況メッセージの特性を検出するよう構成される。
【００１２】
状況メッセージの特性には、更なる自動化装置の装置ＩＤおよび／もしくは位置、並びに／または、エラータイプおよび／もしくはエラーコードが含まれてよい。特性には更に、状況メッセージの優先順位付け、例えば高い優先度、中位の優先度または低い優先度が含まれてよい。
【００１３】
一実施形態によると、光源は、１つの光色および／または明るさおよび／または周波数の光信号を発するよう構成され、これにより、光信号の光色および／または明るさおよび／または周波数は、状態、状態変化、および／または状況メッセージの特性と関連付けられる。よって、このことからは、ユーザが光色および／または明るさおよび／または周波数に基づいて、異なる状態および／または状態変化を効率的に区別することができるという利点が得られる。
【００１４】
一実施形態によると、通信インタフェースは、通信ネットワークを介して自動化装置群の更なる自動化装置から更なる状況メッセージを受信し、かつ、当該更なる状況メッセージの特性を検出するよう構成され、当該更なる状況メッセージは、当該更なる自動化装置の更なる状態または更なる状態変化を示し、当該更なる状況メッセージの当該特性は、当該更なる状態および／または当該更なる状態変化のタイプおよび／または優先度を示す。よって、このことからは、ユーザが更なる自動化装置を検査および／または観察する必要もなく、自動化装置群の更なる自動化装置の更なる状態または更なる状態変化について通知され得るという利点が得られる。通信インタフェースの制御装置は、更なる状況メッセージの特性を検出するよう構成されてよい。
【００１５】
一実施形態によると、通信インタフェースは、状況メッセージの特性と更なる状況メッセージの特性とを比較し、かつ、それぞれの特性に基づいてこれらの状況メッセージの順位付けを検出するよう構成され、光源は、当該状況メッセージによって優先度がより高いと表示される状態または状態変化を示す光信号を発するよう構成される。よって、このことからは、優先度の最も高い状況メッセージをユーザに効率的に表示することができるという利点が得られる。このように、ユーザは、エラーメッセージよりも優先度の低い警告メッセージの原因の前にエラーメッセージの原因を改善することができる。状況メッセージは、優先順位の高い順に並べ替えられてよく、ここで、優先度の最も高い状況メッセージは、順位付けにおいて最も高い順位を占める。通信インタフェースの制御装置は更に、状況メッセージの特性と更なる状況メッセージの特性とを比較し、かつ、それぞれの特性に基づいてこれらの状況メッセージの順位付けを検出するよう構成されてよい。制御装置は更に、光信号を発するための光源を制御することができる。
【００１６】
一実施形態によると、光源は少なくとも１つのＬＥＤを備える。当該少なくとも１つのＬＥＤは、赤、黄、青または白色の光の光信号を表示するよう構成されてよい。
【００１７】
一実施形態によると、光源は自動化装置の内部空間に配置される。光源は、装置および／または内部機械照明であってよい。
【００１８】
一実施形態によると、通信インタフェースは、無線通信インタフェース、特にＷＬＡＮ通信インタフェース、ブルートゥース（登録商標）通信インタフェース、ＺｉｇＢｅｅ（登録商標）通信インタフェースもしくはＴｒｕｓｔｅｄ  Ｗｉｒｅｌｅｓｓ通信インタフェース、または、有線通信インタフェース、特にフィールドバス通信インタフェース、Ｅｔｈｅｒｎｅｔ（登録商標）通信インタフェースもしくはＵＳＢ通信インタフェースである。
【００１９】
一実施形態によると、自動化装置は検出装置を備え、当該検出装置は、ユーザによる自動化装置の整備または操作を検出するよう構成される。
【００２０】
検出装置は、スイッチ、特にプッシュボタンであってよい。検出装置は、自動化装置の点検用フラップに連結されてよく、当該点検用フラップの開放を検出することができる。検出装置は更に、自動化装置の更なる通信インタフェース、例えば整備機器を接続するための通信インタフェース、および／または、自動化装置の入力装置、例えばタッチスクリーンと通信交換により連結されてよい。
【００２１】
光源は、検出装置がユーザによる自動化装置の整備または操作を検出すると受信される状況メッセージに応じて光信号を表示するよう構成されてよい。
【００２２】
一実施形態によると、通信インタフェースは、検出装置が自動化装置の整備または操作を検出すると、更なる自動化装置に状況メッセージを伝送するよう構成される。当該状況メッセージは、自動化装置が整備または操作されているのを示すことができる。よって、このことからは、自動化装置がその整備状態を更なる自動化装置へ効率的に伝達することができるという利点が得られる。その結果、更なる自動化装置は、例えば自動化装置を整備または操作しているユーザに対して更なる自動化装置の状態について知らせるために、自動化装置へ状況メッセージを転送することができる。
【００２３】
一実施形態によると、自動化装置は、自動化装置の状態または状態変化を判断するよう構成される制御装置を備える。よって、このことからは、自動化装置の状態または状態変化を効率的に検出することができるという利点が得られる。制御装置は、プロセッサであってもよいし、プロセッサを備えてもよい。制御装置は更に、通信インタフェースおよび／または光源を制御するよう、特に作動させるよう構成されてよい。制御装置には、自動化装置の上述の制御装置が含まれてよい。
【００２４】
一実施形態によると、光源は、自動化装置の状態または状態変化の検出に応じて更なる光信号を発するよう構成され、当該更なる光信号は、自動化装置の状態または状態変化を示す。よって、このことからは、光源が自動化装置の状態または状態変化を効率的に示すことができるという利点が得られる。
【００２５】
一実施形態によると、通信インタフェースは、更なる自動化装置の更なる状況メッセージを受信するよう構成され、当該更なる状況メッセージは、ユーザが更なる自動化装置を整備または操作していることを示す。通信インタフェースは、更なる自動化装置の更なる状況メッセージの存在に基づいて自動化装置の状態または状態変化を検出すると更なる自動化装置へ状況メッセージを伝送するよう構成されてよく、当該状況メッセージは、自動化装置の状態または状態変化を示す。
【００２６】
一実施形態によると、通信インタフェースは、自動化装置の状態または状態変化を検出すると、通信装置、特にスマートフォンまたはラップトップ等の移動通信装置へ装置状況メッセージを伝送するよう構成される。よって、このことからは、通信装置が状態または状態変化を効率的に示すことができるという利点が得られる。このように、ユーザは、自動化装置群の自動化装置を操作または整備する工程になくても、自動化装置の状態または状態変化について通知されてよい。
【００２７】
第２態様によると、本発明は、第１自動化装置および第２自動化装置を含む自動化装置群の自動化装置の配置であって、当該第２自動化装置は、状況メッセージを伝送するよう構成され、当該第１自動化装置は、当該第２自動化装置の当該状況メッセージを受信し、かつ、受信された当該状況メッセージにより示される通りに、当該第２自動化装置の状態または状態変化を視覚的に表示するよう構成される、配置に関する。よって、このことからは、第２自動化装置の状態または状態変化が第１自動化装置により効率的に示され得るという利点が得られる。
【００２８】
第３態様によると、本発明は、第１自動化装置および第２自動化装置を含む自動化装置群の自動化装置の状態または状態変化を示すための方法であって、当該第２自動化装置を介して当該第１自動化装置へ当該第２自動化装置の状況メッセージを伝送する段階と、当該第１自動化装置により当該第２自動化装置の当該状況メッセージを受信する段階と、当該第１自動化装置によって受信された当該状況メッセージにより示される通りに、当該第２自動化装置の状態または状態変化を光学的に表示する段階とを備える方法に関する。よって、このことからは、第２自動化装置の状態または状態変化が第１自動化装置により効率的に示され得るという利点が得られる。
【００２９】
図面には本発明の例示的な実施形態が描かれており、これらについては以下により詳しく説明されることになる。
【図面の簡単な説明】
【００３０】
以下の図が示されている。
【００３１】
【図１】自動化装置群の自動化装置の概略図である。
【００３２】
【図２】自動化装置の状態または状態変化を表示するための方法のフローチャートである。
【００３３】
【図３】自動化装置の状態または状態変化を表示するための通信装置の概略図である。
【発明を実施するための形態】
【００３４】
図１は、一実施形態に係る自動化装置１０１ａ〜１０１ｃの群の自動化装置１０１ａの概略図を示している。
【００３５】
自動化装置１０１ａは、通信ネットワーク１０５を介して自動化装置１０１ａ〜１０１ｃの群の更なる自動化装置１０１ｂおよび１０１ｃと通信するための通信インタフェース１０３であって、更なる自動化装置１０１ｂおよび１０１ｃの状態または状態変化を示す更なる自動化装置１０１ｂおよび１０１ｃの状況メッセージを受信するよう構成される通信インタフェース１０３と、当該状況メッセージの受信に応じて、更なる自動化装置１０１ｂおよび１０１ｃの当該状態または当該状態変化を示す光信号を発するよう構成される光源１０７とを備える。
【００３６】
図１の自動化装置１０１ａ〜１０１ｃの群には、自動化装置１０１ａと２つの更なる自動化装置１０１ｂおよび１０１ｃとが含まれる。
【００３７】
自動化装置１０１ａおよび更なる自動化装置１０１ｂおよび１０１ｃは、機械群の機械であってよい。自動化装置１０１ａ〜１０１ｃの群は、自動化装置１０１ａ〜１０１ｃの配置であってよく、当該配置の自動化装置１０１ａ〜１０１ｃは、共通位置、例えば製造現場または生産施設に設置されてよい。自動化装置１０１ａおよび更なる自動化装置１０１ｂおよび１０１ｃは、同様のもの、特に同じ構成要素および特徴を表すものであってよい。状況メッセージは、更なる自動化装置１０１ｂおよび１０１ｃの状態もしくは状況、特に更なる自動化装置１０１ｂおよび１０１ｃの誤動作状態もしくは誤動作状況、または、更なる自動化装置１０１ｂおよび１０１ｃの状態変化もしくは状況変化を示すことができる。状態は、更なる自動化装置１０１ｂおよび１０１ｃのエラー、例えば予定外の工程終了であってよい。この場合、状況メッセージは、エラーメッセージまたは警告メッセージであってよい。
【００３８】
光源１０７は、機械照明であってよい。更に、光源１０７は、自動化装置１０１ａの信号塔として構成されてもよいし、自動化装置１０１ａの信号塔に組み込まれてもよい。
【００３９】
通信インタフェース１０３は、無線または有線の通信インタフェースであってよい。通信インタフェース１０３には、以下の通信インタフェース、すなわちＷＬＡＮ通信インタフェース、ブルートゥース（登録商標）通信インタフェース、ＺｉｇＢｅｅ（登録商標）通信インタフェース、Ｔｒｕｓｔｅｄ  Ｗｉｒｅｌｅｓｓ通信インタフェース、フィールドバス通信インタフェース、Ｅｔｈｅｒｎｅｔ（登録商標）通信インタフェース、ＵＳＢ通信インタフェースのうち１つが含まれてよい。
【００４０】
一実施形態によると、通信インタフェース１０３は、状況メッセージの特性を検出するよう構成される。状況メッセージの特性は、状態および／または状態変化のタイプおよび／または優先度を示すことができる。
【００４１】
通信インタフェース１０３は更に、更なる状況メッセージおよび更なる状況メッセージの特性を検出するよう構成されてよい。更なる状況メッセージは、自動化装置１０１ａ〜１０１ｃの群の更なる自動化装置１０１ｂおよび１０１ｃの更なる状態および／または更なる状態変化を示すことができる。更なる状況メッセージの特性は、更なる状態および／または更なる状態変化のタイプおよび／または優先度を示すことができる。
【００４２】
状況メッセージおよび／または更なる状況メッセージは、ブロードキャストテレグラムの形であってよく、通信インタフェース１０３により受信されてよい。通信ネットワーク１０５は、自動化装置１０１ａ〜１０１ｃの状況メッセージ用のブロードキャストドメインを形成することができる。
【００４３】
状況メッセージの特性または更なる状況メッセージの特性には、更なる自動化装置１０１ｂおよび１０１ｃの装置ＩＤおよび／もしくは位置、並びに／または、エラータイプおよび／もしくはエラーコードが含まれてよい。状況メッセージの特性または更なる状況メッセージの特性には更に、状況メッセージまたは更なる状況メッセージの優先順位付け（例えば高い優先度、中位の優先度または低い優先度）がそれぞれ含まれてよい。
【００４４】
通信ネットワーク１０５は、無線または有線の通信ネットワークであってよい。通信ネットワーク１０５は、ローカルネットワークまたはグローバルネットワーク、特にインターネットであってよい。
【００４５】
光源１０７は、ＬＥＤであってもよいし、少なくともＬＥＤを含んでもよい。光源１０７は、機械照明、特にＬＥＤ機械照明であってよい。更に、光源１０７は、自動化装置１０１ａの信号塔として構成されてもよいし、自動化装置１０１ａの信号塔に組み込まれてもよい。光源１０７は更に、自動化装置１０１ａの内部空間に配置される装置または内部機械照明であってよい。一実施形態によると、光源１０７は、１つの光色および／または１つの光周波数の光信号を発するよう構成される。よって、光源１０７は、当該光周波数に基づいて、様々なタイプの信号、特に定常光、点滅光または閃光を発生することができる。光源１０７は更に、特定の明るさの光信号を発するよう構成されてよい。
【００４６】
光源１０７は更に、有線および／または無線の電源装置、並びに、有線および／または無線のインタフェースを備えてよい。インタフェースは、光色、明るさまたは信号タイプを選択するための情報を受信および／または評価することができる。
【００４７】
光源１０７、特に光源１０７のインタフェースは、５ピンＭ１２コネクタを備えてよく、当該コネクタの５つのコンタクトは、例えば以下の通りに割り当てられる。
【表１】
2019505125.tif 000003
光色選択用のビット０と１との組み合わせは、以下の通りであってよい。
【表２】
2019505125.tif 000004
光信号の光色および／または光周波数および／または明るさは、状況メッセージの特性、および／または状態および／または状態変化と関連付けられてもよいし、更なる状況メッセージの特性、および／または更なる状態および／または更なる状態変化と関連付けられてもよい。光源１０７による表示に基づいてどちらの状況メッセージがより高い優先度を与えられるべきか判断すべく、自動化装置１０１ａの通信インタフェース１０３および／または制御装置１１１は、状況メッセージの特性と更なる状況メッセージの特性とを比較し、かつ、それぞれの特性に基づいて状況メッセージの順位付けを検出するよう構成されてよい。光源１０７は、状況メッセージの順位付けに基づいて、より高い優先順位付けの状況メッセージにより示される通りに状態または状態変化を示す光信号を発するよう構成されてよい。よって、制御装置１１１は、光信号を発するよう光源を作動させることができる。
【００４８】
通信インタフェース１０３および／または制御装置１１１が状況メッセージおよび更なる状況メッセージについて同じ優先順位付けを特定した場合は、光源１０７は、与えられた状況メッセージのうち最初のものと関連付けられる光信号を発するよう構成されてよい。よって、制御装置１１１は、光信号を発するよう光源を作動させることができる。このように、既により長い時間にわたって保留となっている自動化装置１０１ａ〜１０１ｃの状態が優先的に表示されてよい。例えば自動化装置１０１ａ〜１０１ｃの警告またはエラーの原因が解決されたことにより、与えられた状況メッセージのうち最初のものがもはや受信されていない場合は、光源１０７は次いで、前に示されなかった状況メッセージが依然として保留中であれば、これと関連付けられる光信号を発するよう構成されてよい。
【００４９】
図１の自動化装置１０１ａは更に、検出装置１０９を備える。
【００５０】
検出装置１０９は、ユーザ、特に機械のオペレータまたは管理者による自動化装置１０１ａの整備または操作を検出するよう構成されてよい。自動化装置１０１ａの整備または操作には、ユーザにより実行されるモニタリング活動、セットアップ活動、整備活動またはトラブルシューティング活動が含まれてよい。
【００５１】
検出装置１０９は、自動化装置１０１ａの入力装置、例えばタッチスクリーンに接続されてよく、ユーザによる入力装置の操作を検出することができる。検出装置１０９は更に、通信交換を目的とした自動化装置１０１ａの更なる通信インタフェース、例えば整備機器を接続するための通信インタフェースに接続されてよく、係る整備機器の接続を検出することができる。通信インタフェース１０３および更なる通信インタフェースは、同じものであってよい。
【００５２】
図１の自動化装置１０１ａは更に、点検用フラップ１１３を備える。点検用フラップ１１３は、自動化装置１０１ａの筐体開口部の上方にあるフラップまたは窓であってよい。
【００５３】
検出装置１０９は、点検用フラップ１１３に接続されてよく、ユーザによる点検用フラップ１１３の開放を検出することができる。これにより、例えば自動化装置１０１ａの整備が実行されたかどうかを検出することが可能となる。検出装置１０９は、点検用フラップ１１３の開放を検出することができるスイッチ、特にプッシュボタンであってよい。
【００５４】
図１の自動化装置１０１ａは更に、制御装置１１１を備える。制御装置１１１は、自動化装置１０１ａの状態または状態変化を検出するよう構成されてよい。制御装置１１１は更に、通信インタフェース１０３および／または光源１０７を制御するよう、特に作動させるよう構成されてよい。制御装置１１１には、自動化装置１０１ａの上述の制御装置１１１が含まれてよい。
【００５５】
制御装置１１１は、プロセッサまたはマイクロプロセッサであってもよいし、プロセッサまたはマイクロプロセッサをそれぞれ備えてもよい。制御装置１１１はメモリを備えてよい。更に、制御装置１１１は、自動化装置１０１ａに接続されるデータプロセッサ、例えばデスクトップコンピュータ、ラップトップまたはＰＬＣに組み込まれてよい。
【００５６】
検出装置１０９は、制御装置１１１を備えてよい。
【００５７】
自動化装置１０１ａの状態は、自動化装置１０１ａのエラー、例えば予定外の工程終了であってよい。自動化装置１０１ａの状態変化は、自動化装置１０１ａの状況変化、例えば工程終了または工程完了を示すことができる。
【００５８】
一実施形態によると、光源１０７は、自動化装置１０１ａの状態または状態変化の検出に応じて更なる光信号を発するよう構成され、当該更なる光信号は、自動化装置１０１ａの状態または状態変化を示す。
【００５９】
自動化装置１０１ａ〜１０１ｃの群の自動化装置１０１ａ〜１０１ｃは、同じものであってよい。そのため、更なる自動化装置１０１ｂおよび１０１ｃの各々は、それぞれの光源１０７を備えて自動化装置１０１ａの状況メッセージを表示することにより、自動化装置１０１ａの状態または状態変化を示すよう構成されてもよい。
【００６０】
この目的のため、更なる自動化装置１０１ｂおよび１０１ｃは、ユーザが整備または操作している間、自動化装置１０１ａに更なる状況メッセージを伝送することができる。自動化装置１０１ａの通信インタフェース１０３は、更なる自動化装置１０１ｂおよび１０１ｃの更なる状況メッセージが示されると、更なる自動化装置１０１ｂおよび１０１ｃへ自動化装置１０１ａの状態または状態変化に関する状況メッセージを伝送するよう構成されてよく、当該状況メッセージは、自動化装置１０１ａの状態または状態変化を示す。
【００６１】
このように、自動化装置１０１ａ〜１０１ｃの群の自動化装置１０１ａ〜１０１ｃの各々は、自動化装置１０１ａ〜１０１ｃの群の別の自動化装置１０１ａ〜１０１ｃの状況メッセージを示すことができる。
【００６２】
一実施形態によると、自動化装置１０１ａ〜１０１ｃの群の自動化装置１０１ａ〜１０１ｃの各々は、機械制御装置を備える。機械制御装置は、自動化装置１０１ａ〜１０１ｃの光源１０７を有線または無線で制御するよう構成されてよい。更に、自動化装置１０１ａ〜１０１ｃは、それぞれの群内の自動化装置１０１ａ〜１０１ｃの機械制御装置により、またはその中で群に統合されてよい。自動化装置１０１ａ〜１０１ｃの各々の機械制御装置は、プログラマブルロジック制御装置（ＰＬＣ）であってよい。
【００６３】
一実施形態によると、機械制御装置は、通信インタフェース１０３および／または検出装置１０９および／または制御装置１１１および／または５ピンＭ１２コネクタを備える。
【００６４】
図２は、一実施形態に係る自動化装置１０１ａ〜１０１ｃの群の自動化装置１０１ａ〜１０１ｃの状態または状態変化を表示するための方法２００のフローチャートを示している。ここで、自動化装置１０１ａ〜１０１ｃの群には、第１自動化装置および第２自動化装置が含まれる。
【００６５】
第１自動化装置は、自動化装置１０１ａに対応してよく、第２自動化装置は、図１の更なる自動化装置１０１ｂおよび１０１ｃに対応してよい。
【００６６】
方法２００は、当該第２自動化装置１０１ｂおよび１０１ｃにより第１自動化装置１０１ａへ第２自動化装置１０１ｂおよび１０１ｃの状況メッセージを伝送する段階２０１と、第１自動化装置１０１ａにより第２自動化装置１０１ｂおよび１０１ｃの状況メッセージを受信する段階２０３と、第１自動化装置１０１ａによって受信された状況メッセージにより示される通りに第２自動化装置１０１ｂおよび１０１ｃの状態または状態変化を光学的に表示する段階２０５とを含む。
【００６７】
図３は、一実施形態に係る自動化装置１０１ａ〜１０１ｃの群の自動化装置１０１ａの状態または状態変化を表示するための通信装置３００の概略図を示している。
【００６８】
通信装置３００は、ディスプレイ３０１、特にスクリーンを備えてよく、当該ディスプレイは、自動化装置群の自動化装置１０１ａ〜１０１ｃをデジタルマップ３０３に視覚化するよう構成されてよい。自動化装置１０１ａ〜１０１ｃは、ホールプラン形式でデジタルマップ３０３に視覚化されてよい。
【００６９】
自動化装置１０１ａの通信インタフェース１０３は、自動化装置１０１ａの状態または状態変化が検出されると通信装置３００に装置状況メッセージを送信するよう構成されてよい。通信装置３００は、更なる通信ネットワーク３０７を介して自動化装置１０１ａの装置状況メッセージを受信するよう構成される通信インタフェース３０５を備えてよい。
【００７０】
ディスプレイ３０１は、自動化装置１０１ａの装置状況メッセージの受信に応じて、自動化装置１０１ａの状態または状態変化をデジタルマップでハイライトするよう、特に色によりハイライトするよう構成されてよい。
【００７１】
ディスプレイ３０１は更に、自動化装置群の自動化装置１０１ａ〜１０１ｃをリスト３０９で表示するよう構成されてよい。更に、ディスプレイ３０１は、自動化装置１０１ａ〜１０１ｃの状態または状態変化をリスト３０９で示すよう構成されてよい。
【００７２】
装置状況メッセージは、状況メッセージ同様、自動化装置１０１ａの状態または状態変化を示すことができる。自動化装置１０１ａ〜１０１ｃの装置状況メッセージおよび状況メッセージは、同じものであってよい。更に、装置状況メッセージは、状況メッセージと比較して、追加的な情報、例えば自動化装置１０１ａのＧＮＳＳデータを含んでよい。
【００７３】
更なる通信ネットワーク３０７は、無線または有線の通信ネットワークであってよい。通信ネットワーク１０５および更なる通信ネットワーク３０７は、同じものであってよい。
【００７４】
通信装置３００の通信インタフェース３０５は更に、更なる通信ネットワーク３０７を介して更なる自動化装置１０１ａの更なる装置状況メッセージを受信するよう構成されてよい。ディスプレイ３０１は、更なる自動化装置１０１ｂおよび１０１ｃの更なる装置状況メッセージの受信に応じて更なる自動化装置１０１ｂおよび１０１ｃをデジタルマップ３０３でハイライトするよう構成されてよい。
【００７５】
通信装置３００は、移動通信装置、特にスマートフォンまたはラップトップであってよい。
【符号の説明】
【００７６】
１０１ａ    自動化装置
１０１ｂ    更なる自動化装置
１０１ｃ    更なる自動化装置
１０３        通信インタフェース
１０５        通信ネットワーク
１０７        光源
１０９        検出装置
１１１        制御装置
１１３        点検用フラップ
【００７７】
２００        方法
２０１        伝送する段階
２０３        受信する段階
２０５        表示する段階
【００７８】
３００        通信装置
３０１        ディスプレイ
３０３        デジタルマップ
３０５        通信インタフェース
３０７        更なる通信ネットワーク
３０９        リスト
【図１】
2019505125.tif 000005
【図２】
2019505125.tif 000006
【図３】
2019505125.tif 000007
【国際調査報告】
2019505125.tif 000008
2019505125.tif 000009
2019505125.tif 000010
2019505125.tif 000011